(57)【要約】【課題】家具の設計段階での揮発性有機化合物（ＶＯＣ）の発生量の推定を可能とする家具設計システムを提供する。【解決手段】処理端末装置３は、家具に使用する部材毎にＶＯＣ発生量を保持する部材データベース６と、家具に使用する接着剤毎にＶＯＣ発生量を保持する接着剤データベース７と、複数の標準タイプの家具データを保持する家具標準データベース８を有する。処理端末装置３は、家具設計ソフトウェア１１により、家具標準データベース８を用いて家具を設計し、３次元表示ソフトウェア１２により、設計した家具の３次元のイメージ画像データを表示し、接着剤ＶＯＣソフトウェア１４により、家具に使用する接着剤のＶＯＣ発生量を積算し、ＶＯＣ積算ソフトウェア１３により、家具に使用する部材のＶＯＣ発生量を積算し、家具全体のＶＯＣ発生量のシミュレーションを行う。【選択図】　図１
2004126638.tif 000002
【特許請求の範囲】
【請求項１】
端末装置を用いて、家具を設計するシステムであって、
家具に使用する部材毎に、測定した揮発性有機化合物発生量を有する部材データを保持する部材データベースと、
前記家具を設計し、家具の設計図面を作成する家具設計手段と、
前記家具の揮発性有機化合物発生量を推定するシミュレーション手段と、
を具備し、
前記シミュレーション手段は、
前記設計図面から、前記家具に使用する各部材の使用量を算出し、
前記部材データベースから、前記部材の使用量に基づいて、前記各部材からの揮発性有機化合物発生量を積算することを特徴とする家具設計システム。
【請求項２】
端末装置を用いて、家具を設計するシステムであって、
家具に使用する複数の部材毎に、測定した揮発性有機化合物発生量を有する部材データ保持する部材データベースと、
住宅設計の間取り毎に、間取り設計図面と、前記間取り設計図面から推定した居住空間の揮発性有機化合物発生量を保持する間取りデータベースと、
前記間取り設計図面に基づいて、据え付け型の家具を設計し、家具の設計図面を作成する家具設計手段と、
前記家具の揮発性有機化合物発生量を推定するシミュレーション手段と、
前記間取りデータベースに、前記家具の揮発性有機化合物発生量を出力する出力手段と、
を具備し、
前記シミュレーション手段は、
前記設計図面から、前記家具に使用する各部材の使用量を算出し、
前記部材データベースから、前記部材の使用量に基づいて、前記各部材からの揮発性有機化合物発生量を積算することを特徴とする家具設計システム。
【請求項３】
前記シミュレーション手段は、さらに、
前記家具に使用する接着剤毎に、測定した揮発性有機化合物発生量を保持する接着剤データベースと、
前記家具の設計図面から、前記家具に使用する各接着剤の使用量を算出する使用量算出手段と、
前記接着剤データベースから、前記接着剤の使用量に基づいて、前記接着剤の揮発性有機化合物発生量を積算する部材揮発性有機化合物発生量積算手段と、
を具備することを特徴とする請求項１、または請求項２記載の家具設計システム。
【請求項４】
前記家具設計手段は、さらに、
前記設計図面から３次元画像データを生成し、表示する３次元表示手段と、
を具備することを特徴とする請求項１、または請求項２の家具設計システム。
【請求項５】
前記家具設計手段は、さらに、
複数の標準タイプの家具データを保持する家具データベースと、
前記複数の標準タイプの家具データから、家具を選択する家具選択手段と、
を具備することを特徴とする請求項１、または請求項２の家具設計システム。
【請求項６】
前記家具設計手段は、さらに、
前記部材データベースの部材データから、前記家具に使用する部材を選択する部材選択手段を、
を具備することを特徴とする請求項１、または請求項２の家具設計システム。
【請求項７】
前記部材データは、
部材の材質、部材の単価、部材のサイズ、部材の揮発性有機化合物発生量等の少なくともいずれか１つであることを特徴とする請求項６の家具設計システム。
【請求項８】
前記揮発性有機化合物発生量は、
各化学物質の揮発性有機化合物発生量、及び／または総揮発性有機化合物発生量であることを特徴とする請求項１、または請求項２の家具設計システム。
【請求項９】
前記部材データベースは、
チャンバー法により前記揮発性有機化合物発生量を測定することを特徴とする請求項１、または請求項２の家具設計システム。
【請求項１０】
前記接着剤データベースは、
チャンバー法により前記揮発性有機化合物発生量を測定することを特徴とする請求項１、または請求項２の家具設計システム。
【請求項１１】
コンピュータを請求項１、または請求項２記載の家具設計システムとして機能させるプログラム。
【請求項１２】
コンピュータを請求項１、または請求項２記載の家具設計システムとして機能させるプログラムを記録した記録媒体。
【発明の詳細な説明】
【０００１】
【発明の属する技術分野】
本発明は、家具の揮発性有機化合物発生量のシミュレーションをともなった家具設計システムに関する。
【０００２】
【従来の技術】
昨今、化学製品による身体的トラブルが多く、深刻な課題である。特に、建材分野では「室内環境汚染（シックハウス）」に関して注目を集めている。行政は、室内環境汚染問題への対策として、例えば、室内に使用する建材からのホルムアルデヒド、シロアリ駆除剤が用途のクロルピリホスの発生規制に乗り出している。これらの２化学物質の室内への放出量を、先に決めた室内濃度指針値を基準値として、ホルムアルデヒドを発生する室内用塗料、接着剤、合板類、壁紙等の建材の使用を制限、およびクロルピリホスの使用を禁止している。また、行政は、室内空気質に関し、総揮発性有機化合物（ＴＶＯＣ）及び各化学物質の指針値を提示している。
【０００３】
このような背景もあり、住居内に関する建材に関しては、揮発性有機化合物（ＶＯＣ）に注目され、揮発性有機化合物（ＶＯＣ）の測定は、チャンバー法により、個々の部材に関しては行える様になってきた。住空間全体の室内空気質の測定は、例えば、新築住宅では、所定の環境条件下で空気採取を行い、その空気質のサンプルを測定分析し確認していた。さらに、建材のみならず、家具等からも揮発性有機化合物（ＶＯＣ）が放散されており、これらの揮発性有機化合物（ＶＯＣ）も注目されてくるものと思われる。
【０００４】
また、従来の家具設計システムは、ユーザの要求や、設置場所に応じた家具を設計し、設計図面を作成するシステムが幾つか存在する（例えば、特許文献１参照）。
【０００５】
【特許文献１】
特開平１１−１２０２１９号公報（第４−６頁）
【０００６】
【発明が解決しようとする課題】
複合材料でできている家具からの揮発性有機物質（ＶＯＣ）を測定するためには、家具を完成品の状態で評価する必要があり、例えば、大型チャンバー等を利用することができる。しかしながら、温湿度調整・クリーン空気供給・維持等の装置コストがかかり、また、表面に吸着した揮発性有機物質（ＶＯＣ）を洗浄するための手段の選択幅が狭く、時間がかかる、等の課題があり、コスト的にも、時間的にも、測定効率が低く、試作家具のすべてを測定することは実質困難であった。
更に、大型チャンバーで測定しても、実際家具を設置する居住空間との体積の違いや換気等環境条件の違いから設置させる空間における揮発性化学物質「濃度」に及ぼす影響を勘案することは、容易ではなかった。
【０００７】
本発明は、以上の点に鑑みてなされたものであり、家具の設計段階での揮発性有機化合物（ＶＯＣ）の発生量の推定を可能とする家具設計システムを提供することを目的とする。
【０００８】
【課題を解決するための手段】
前述した目的を達成するために第１の発明は、端末装置を用いて、家具を設計するシステムであって、家具に使用する部材毎に、測定した揮発性有機化合物発生量を有する部材データを保持する部材データベースと、前記家具を設計し、家具の設計図面を作成する家具設計手段と、前記家具の揮発性有機化合物発生量を推定するシミュレーション手段と、を具備し、前記シミュレーション手段は、前記設計図面から、前記家具に使用する各部材の使用量を算出し、前記部材データベースから、前記部材の使用量に基づいて、前記各部材からの揮発性有機化合物発生量を積算することを特徴とする家具設計システムである。
【０００９】
また、第２の発明は、端末装置を用いて、家具を設計するシステムであって、家具に使用する複数の部材毎に、測定した揮発性有機化合物発生量を有する部材データ保持する部材データベースと、住宅設計の間取り毎に、間取り設計図面と、前記間取り設計図面から推定した居住空間の揮発性有機化合物発生量を保持する間取りデータベースと、前記間取り設計図面に基づいて、据え付け型の家具を設計し、家具の設計図面を作成する家具設計手段と、前記家具の揮発性有機化合物発生量を推定するシミュレーション手段と、前記間取りデータベースに、前記家具の揮発性有機化合物発生量を出力する出力手段と、を具備し、前記シミュレーション手段は、前記設計図面から、前記家具に使用する各部材の使用量を算出し、前記部材データベースから、前記部材の使用量に基づいて、前記各部材からの揮発性有機化合物発生量を積算することを特徴とする家具設計システムである。
【００１０】
また、前記シミュレーション手段は、さらに、前記家具に使用する接着剤毎に、測定した揮発性有機化合物発生量を保持する接着剤データベースと、前記家具の設計図面から、前記家具に使用する各接着剤の使用量を算出する使用量算出手段と、前記接着剤データベースから、前記接着剤の使用量に基づいて、前記接着剤の揮発性有機化合物発生量を積算する部材揮発性有機化合物発生量積算手段と、を具備することが望ましい。
また、前記家具設計手段は、さらに、前記部材データベースの部材データから、前記家具に使用する部材を選択する部材選択手段を、を具備することが望ましい。
また、前記家具設計手段は、さらに、前記設計図面から３次元画像データを生成し、表示する３次元表示手段と、を具備することが望ましい。
また、前記家具設計手段は、さらに、複数の標準タイプの家具データを保持する家具データベースと、前記複数の標準タイプの家具データから、家具を選択する家具選択手段と、を具備することが望ましい。
【００１１】
第１の発明では、端末装置は、家具に使用する部材毎に、測定した揮発性有機化合物発生量を有する部材データを保持する部材データベースを有し、家具を設計し、家具の設計図面を作成し、設計図面から、家具に使用する各部材の使用量を算出し、部材データベースから、部材の使用量に基づいて、各部材からの揮発性有機化合物発生量を積算することにより、家具の揮発性有機化合物発生量を推定する。
【００１２】
第２の発明では、端末装置は、家具に使用する複数の部材毎に、測定した揮発性有機化合物発生量を有する部材データ保持する部材データベースを有し、住宅設計の間取り毎に、間取り設計図面と、間取り設計図面から推定した居住空間の揮発性有機化合物発生量を保持する間取りデータベースを有し、間取り設計図面に基づいて、据え付け型の家具を設計し、家具の設計図面を作成し、設計図面から、家具に使用する各部材の使用量を算出し、部材データベースから、部材の使用量に基づいて、各部材からの揮発性有機化合物発生量を積算することにより、家具の揮発性有機化合物発生量を推定し、間取りデータベースに、家具の揮発性有機化合物発生量を出力する。
【００１３】
「揮発性有機化合物（ＶＯＣ）」は、建材・内装材、包装材等の各種製品に利用されており、これらの建材・内装材、包装材等の各種製品からＶＯＣが発生され、住宅、生活に持ち込まれ、室内空気汚染等を起こす。個別化学物質として、例えば、合板等の木質基材に含有するホルムアルデヒド、塗料、インキ等の溶剤に使用されるトルエン・キシレン・エチルベンゼン、防虫剤に使用されるパラジクロロベンゼン等、その他様々の化学物質がある。
「チャンバー法による測定」とは、チャンバーの中に試験材を設置し、空気を供給し、そこから発生する揮発性有機化合物（ＶＯＣ）を吸着管に捕捉し、この吸着管を分析、測定する方法である。
チャンバー法には、大型チャンバー法、小型チャンバー法等がある。大型チャンバー法は、チャンバーのサイズが２２ｍ３以上であり、家具等をそのまま測定できる。小型チャンバー法は、チャンバーのサイズは２０Ｌから１ｍ３であり、試験材を一定にするため、比較データとして利用可能であり、一定空間中に放散される濃度、速度等が測定できる。また、チャンバーが小さいため、大型チャンバー法等に比べ、洗浄（チャーバー表面に付着したＶＯＣの除去）が容易であり、材料・部材毎の測定を実施するにも効率がよく、装置、設備コストが低減される。また、その他に、試験材とセルで密閉空間を作り、セル内にあたる部分からの放散量、速度等を測定するセル型チャンバー法がある。
「揮発性有機化合物発生量」は、各化学物質の揮発性有機化合物発生量、総揮発性有機化合物発生量等である。
「部材データ」は、部材の揮発性有機化合物発生量、部材の材質、単価、サイズ等の情報である。
【００１４】
第１の発明と第２の発明では、設計段階で、組み上がった家具の室内空気質の状況を予測でき、設計段階で設計者によって家具の形状のみならず、ＶＯＣ放出量、コストを予測でき、家具を組み上げた上で測定しなくてもよい。
さらに、部材データベースから、設計した家具のＶＯＣ放出量と部材のコストのバランスで部材を選ぶことができ、予め、予算枠が決まっている物件では、設計が容易になる。
【００１５】
第３の発明は、コンピュータを第１の発明の家具設計システムとして機能させるプログラムである。
第４の発明は、コンピュータを第１の発明の家具設計システムとして機能させるプログラムを記録した記録媒体である。
【００１６】
第５の発明は、コンピュータを第２の発明の家具設計システムとして機能させるプログラムである。
第６の発明は、コンピュータを第２の発明の家具設計システムとして機能させるプログラムを記録した記録媒体である。
【００１７】
上述のプログラムをＣＤ−ＲＯＭ等の記録媒体に保持させて流通させてもよいし、このプログラムを通信回線を介して送受することもできる。
【００１８】
【発明の実施の形態】
以下に、添付図面を参照しながら、本発明に係る家具設計システム１の好適な実施形態について詳細に説明する。なお、以下の説明及び添付図面において、略同一の機能構成を有する構成要素については、同一の符号を付することにより重複説明を省略することにする。
【００１９】
図１は、本実施の形態に係る家具設計システム１の概略構成を示す図である。家具設計システム１は、家具を設計し、家具に使用する部材、接着剤の揮発性有機化合物（以降、ＶＯＣ（Ｖｏｌａｔｉｌｅ　Ｏｒｇａｎｉｃ　Ｃｏｍｐｕｎｄ）と称す）の発生量を積算し、家具のＶＯＣ発生量を推定するものである。
尚、「ＶＯＣデータ」とは、各化学物質のＶＯＣ発生量、及び総揮発性有機化合物（ＴＶＯＣ）発生量等のデータである。
【００２０】
図１は、家具設計システムの１例であり、図１に示すように、家具設計システム１は、処理端末装置３、部材データベース６、接着剤データベース７、家具標準データベース８、間取りデータベース９等から構成される。
【００２１】
処理端末装置３は、家具設計ソフトウェア１１、３次元表示ソフトウェア１２、ＶＯＣ積算ソフトウェア１３、接着剤ＶＯＣソフトウェア１４、図面作成ソフトウェア１５等の処理プログラムを有する。処理端末装置３は、パーソナルコンピュータや携帯情報端末（Ｐｅｒｓｏｎａｌ　Ｄｉｇｉｔａｌ　Ａｓｓｉｓｔａｎｔ）等である。
処理端末装置３は、家具設計ソフトウェア１１により、家具標準データベース８を用いて、家具を設計し、３次元表示ソフトウェア１２により、設計した家具の３次元のイメージ画像データを表示し、図面作成ソフトウェア１５により、図面を作成し、出力する。処理端末装置３は、ＶＯＣ積算ソフトウェア１３により、家具に使用する部材のＶＯＣ発生量を積算し、接着剤ＶＯＣソフトウェア１４により、家具に使用する接着剤のＶＯＣ発生量を積算する。
【００２２】
部材ＶＯＣデータベース６には、家具に使用する各種部材毎に、チャンバー法で測定した部材のＶＯＣ発生量を有する部材データを保持する。接着剤データベース７には、家具に使用する各種接着剤毎に、チャンバー法で測定した接着剤のＶＯＣ発生量を保持する。家具標準データベース８には、複数の標準タイプの家具データを保持する。間取りデータベース９には、住宅設計の間取り毎に、間取り設計図面と、この間取り設計図面から推定した居住空間のＶＯＣ発生量等を保持する。
【００２３】
次に、家具設計システム１の関連データベース群である部材データベース６、接着剤データベース７、家具標準データベース８、間取りデータベース９等のデータ構造について詳しく説明する。図２は家具設計システム１の関連データベース群のデータ構造１９を示す。
【００２４】
図２に示すように、部材ＶＯＣデータベース６は、複数の部材データ２０−１、２０−２、…からなる。部材データ２０は、家具に使用する各種部材に関するデータである。部材データ２０は、部材種別２１、部材ＩＤ２２、部材材質２３、部材単価２４、部材サイズ２５、温度／湿度／空気循環量／放置時間等の各種環境条件に応じた複数のＶＯＣデータ２６等からなる。
【００２５】
部材種別２１は、家具で使用される部材の種類である。部材ＩＤ２２は、部材の識別情報である。部材材質２３は、部材の模様、色等の情報である。部材単価２４は、単位量あたりのコスト情報である。部材サイズ２５は、部材の単位あたりの縦、横、高さ、または単位面積等を示す。ＶＯＣデータ２６は、各種環境条件の要素である温度／湿度／空気循環量／放置時間等に応じたチャンバー法で測定した部材からのＶＯＣ発生量のデータである。例えば、ＶＯＣデータ１３は、各部材を、１８℃、２８℃、４０℃でのデータを１週間、一定時間毎に測定したデータである。
【００２６】
接着剤データベース７は、複数の接着剤データ３０−１、３０−２、…からなる。接着剤データ３０は、各接着剤に関するデータである。接着剤データ３０は、接着剤ＩＤ３１、温度／湿度／空気循環量／放置時間等の各種環境条件に応じた複数のＶＯＣデータ３２等からなる。
【００２７】
接着剤ＩＤ３１は、接着剤の識別情報である。ＶＯＣデータ３２は、各種環境条件の要素である温度／湿度／空気循環量／放置時間等に応じたチャンバー法で測定した接着剤からのＶＯＣ発生量のデータである。
【００２８】
家具標準データベース８は、複数の家具標準データ４０−１、４０−２、…からなる。家具標準データ４０は、標準タイプの各種家具に関するデータである。家具標準データ４０は、家具種別４１、家具ＩＤ４２、家具材質４３、家具コスト４４、家具サイズ４５、複数の必要部材データ４６−１、４６−２、…、家具画像データ４７等からなる。
【００２９】
家具種別４１は、家具の種類であり、収納、テーブル、いす、棚等である。家具ＩＤ４２は、家具の識別情報である。家具材質４３は、家具の模様、色等の情報である。家具コスト４４は、家具のコスト情報である。家具サイズ４５は、家具の縦、横、高さ等の情報である。家具部材データ４６は、当該家具に必要な複数の部材情報であり、部材ＩＤ５１、部材使用数５２、部材サイズ５３、部材材質５４等を有する。家具画像データ４７は、表示用の画像データである。
【００３０】
間取りデータベース７は、住宅設計の複数の間取りデータ５５−１、５５−２、…からなる。間取りデータ５５は、各間取りに関するデータであり、間取りＩＤ５６、設計図面データ５７、ＶＯＣデータ５８等からなる。
【００３１】
間取りＩＤ５６は、間取りデータ５５の識別情報である。設計図面データ５７は、住宅設計の２次元の設計図面である。ＶＯＣデータ５８は、設計図面データ５７から、推定した住宅施工後の住空間のＶＯＣ発生量である。尚、ＶＯＣ発生量とは、各化学物質のＶＯＣ発生量、ＴＶＯＣ発生量等である。
【００３２】
次に、チャンバー法のＶＯＣ発生量測定装置９０による、部材、接着剤等からのＶＯＣ発生量のデータの測定について説明する。図３は、ＶＯＣ発生量測定装置９０の概略構成を示す。
【００３３】
図３に示すように、ＶＯＣ発生量測定システム９０は、ケミカルクリーン空気供給装置９１、恒温槽９２、湿度コントローラ９３、混合機９４、小型チャンバー９５、吸着管９６、サンプリングポンプ９７、テフロン（登録商標）管９８等から構成される。恒温槽９２は、湿度コントローラ９３、混合機９４、小型チャンバー９５、吸着管９６等を有する。小型チャンバー９５には、予め、部材（試験材）８８を組み込んだシールボックス８９を設置する。
【００３４】
ＶＯＣ発生量測定システム９０は、ケミカルクリーン空気供給装置９１から、恒温槽９２内の湿度コントローラ９３、混合機９４等を介して、小型チャンバー９５まで、ケミカルクリーン空気を供給するために、テフロン（登録商標）管９８を接続し、更に、小型チャンバー９５の排気側に、データ測定時に吸着管９６、サンプリングポンプ９７等を設置し、テフロン（登録商標）管９８で接続する。ＶＯＣ発生量測定システム９０は、小型チャンバー９５の内部に空気を供給し、ＶＯＣを吸着管９６に捕捉し、吸着管９６を加熱脱着―ガスクロマトグラフ（ＧＣ）法、溶媒抽出―ガスクロマトグラフ法、溶媒抽出―高速液体クロマトグラフ（ＨＰＬＣ）法等で分析するものである。測定終了後、測定した各部材、接着剤毎のＶＯＣ発生データと、各環境条件要素から部材ＶＯＣデータベース６、接着剤データベース７等を構築する。
各ガスクロマトグラフ法の検出器には、例えば、質量分析器、水素炎イオン化検出器、電子捕獲検出器、炎光光度検出器、熱イオン化検出器、熱伝導度検出器等を用いてもよい。液体ロマトグラフ法の検出器には、紫外線検出器、示差屈折率計検出器、蛍光高度計検出器、電気化学検出器、電気伝導度検出器等が用いられる。
【００３５】
次に、家具設計システム１の家具設計、及び家具のＶＯＣ発生量のシミュレーションを行う処理手順を詳しく説明する。図４、図５は、家具設計システム１の処理手順を示すフローチャートである。
【００３６】
図４に示すように、処理端末装置３は、家具の種目選択メニュ画面６０を表示し（ステップ４０１）、家具の種目（種類）を選択する（ステップ４０２）。図７は、家具種目選択メニュ画面６０を示す。家具種目選択メニュ画面６０は、玄関収納、棚、椅子、テーブル等の家具種目６１−１、６１−２、…等からなる。例えば、図７に示すように、処理端末装置３は、家具種目６１−１の「玄関収納」を選択する。
【００３７】
処理端末装置３は、家具標準データベース８を用いて、該当する種目の複数の標準タイプの家具の家具選択メニュ画面６２を表示し（ステップ４０３）、家具を選択する（ステップ４０４）。図８は、家具選択メニュ画面６２を示す。
例えば、図８に示すように、家具種目選択メニュ画面６０で家具種目「玄関収納」６１−１を選択すると、家具選択メニュ画面６２に、玄関収納の標準タイプの家具標準タイプ６３−１、６３−２、６３−３、…を表示し、例えば、家具標準タイプ６３−３を選択する。
【００３８】
処理端末装置３は、家具標準データベース８から、選択した家具標準タイプ６３の家具標準データ４０を読み込み、家具標準タイプ画面６４を表示し、必要に応じて、設計変更等を行う（ステップ４０５）。図９は、家具標準タイプ画面６４を示す。家具標準タイプ画面６４は、選択した標準タイプの家具の画像と、サイズ、材質（色、模様等）、値段等の家具仕様等が表示される。
【００３９】
処理端末装置３は、部材データベース６の部材データ２０−１、２０−２、…、及び／または、家具標準データベース８の該当する家具標準データ４０の家具部材データ４６−１、４６−２、…等を読み込む（ステップ４０６）。
【００４０】
処理端末装置３は、読み込んだ部材データから部材選択画面６５を表示し、部材を選択する（ステップ４０７）。図１０は、部材選択画面６５を示す。部材選択画面６５は、複数の種類の部材タイプ６６−１、６６−２、…からなる。
例えば、図１０に示すように、処理端末装置３は、部材タイプ６６−１を選択する。
【００４１】
処理端末装置３は、選択した家具、部材等から、家具の３次元画像データを生成し、３次元の家具のイメージ画像画面６７を表示し、必要に応じて、設計変更する（ステップ４０８）。図１１は、イメージ画像画面６７を示す。
例えば、図１１に示すように、イメージ画像画面６７は、選択した家具標準タイプ６３−３、部材タイプ６６−１の３次元イメージ画像である玄関収納６８からなる。
【００４２】
図５に示すように、処理端末装置３は、接着剤使用箇所を割り出し、接着剤使用量を算出し（ステップ５０１）、接着剤データベース７から、算出した使用量に基づいて、該当する接着剤のＶＯＣデータを積算する（ステップ５０２）。
【００４３】
処理端末装置３は、家具に使用する各部材の使用量を算出し（ステップ５０３）、部材データベース６から、算出した部材の使用量に基づいて、該当する部材のＶＯＣデータを積算する（ステップ５０４）。
【００４４】
処理端末装置３は、接着剤のＶＯＣデータと、部材のＶＯＣデータと、を合わせた家具のＶＯＣデータを積算する（ステップ５０５）。
処理端末装置３は、家具のＶＯＣデータ画面７０を表示する。図１２は、ＶＯＣデータ画面７０を示す。
【００４５】
図１２に示すように、ＶＯＣデータ画面７０は、接着剤ＶＯＣデータ７１、部材ＶＯＣデータ７２、家具ＶＯＣデータ７３等からなる。
接着剤ＶＯＣデータ７１は、接着剤からの各化学物質のＶＯＣ濃度７４−１、７４−２…と、接着剤ＴＶＯＣ濃度７５等からなる。
部材ＶＯＣデータ７２は、部材からの各化学物質のＶＯＣ濃度７６−１、７６−２、…と、接着剤ＴＶＯＣ濃度７７等からなる。
家具ＶＯＣデータ７３は、接着剤ＶＯＣデータ７１と部材ＶＯＣデータ７２を積算した家具全体のＶＯＣ濃度を示し、各化学物質のＶＯＣ濃度７８−１、７８−２、７８−３…と、ＴＶＯＣ濃度７９等からなる。尚、ＶＯＣ濃度、ＴＶＯＣ濃度は、室内体積等から算出した、単位体積（例えば、１ｍ３）あたりのＶＯＣ発生量、ＴＶＯＣ発生量である。
【００４６】
接着剤ＶＯＣデータ７１、部材ＶＯＣデータ７２、家具ＶＯＣデータ７３等のＶＯＣ濃度（基準値との比較等）に応じて、設計変更するか否か判定し（ステップ５０７）、設計変更を行う場合（ステップ５０７のＹｅｓの場合）、ステップ４０５に移行し、家具の設計変更処理を行う。
【００４７】
設計変更を行わず、家具設計がＯＫの場合（ステップ５０７のＹｅｓの場合）、処理端末装置３は、見積り試算、納期試算を行い（ステップ５０８）、見積り、納期データを出力する（ステップ５０９）。
【００４８】
処理端末装置３は、図面作成、出力を行う（ステップ５１０）。
【００４９】
以上説明したように、本発明の本実施の形態によれば、処理端末装置３は、家具に使用する複数の部材毎に、部材材質、単価、サイズ、測定した部材からのＶＯＣ発生量等を保持する部材データベース６と、家具に使用する複数の接着剤毎に、測定した接着剤からのＶＯＣ発生量を保持する接着剤データベース７と、複数の標準タイプの家具データを保持する家具標準データベース８を有し、処理端末装置３は、家具標準データベース８を用いて、家具を設計し、設計段階で、家具に使用する部材と、接着剤の使用量を算出し、部材データベース６、接着剤データベース７から、それぞれ、使用量に基づいて、ＶＯＣデータを算出し、それらを合わせて、家具のＶＯＣ発生量を推定する。
【００５０】
これにより、設計段階で、組み上がった家具の室内空気質の状況を予測でき、設計段階で設計者によって家具の形状のみならず、ＶＯＣ放出量、コストを予測でき、家具を組み上げた上で測定しなくてもよい。
また、部材データベースから、設計した家具のＶＯＣ放出量と部材のコストのバランスで部材を選ぶことができ、予め、予算枠が決まっている物件では、設計が容易になる。
【００５１】
次に、他の実施の形態について説明する。分譲マンション等の物件の据え付け家具の場合の、家具設計システム１の家具設計段階での家具のＶＯＣ発生量のシミュレーションを行う処理手順を詳しく説明する。図６は、家具設計システム１の処理手順を示すフローチャート（据え付け家具の場合）である。
【００５２】
図６に示すように、処理端末装置３は、間取りデータベース９から、指定した間取り設計図面データを読み込み、設計図面画面８０を表示する（ステップ６０１）。図１３は、設計図面画面８０を示す。
例えば、図１３に示すように、処理端末装置３は、設計図面上の玄関収納８１の家具を選択する（ステップ１３０１）。
【００５３】
処理端末装置３は、設計図面データ５７から、選択された家具の据え付け位置の寸法を算出する（ステップ６０２）。処理端末装置３は、設計図面データ５７等より、寸法に合った、候補となる標準タイプの家具を設定する（ステップ６０３）。
【００５４】
処理端末装置３は、家具標準データベース８から、選択した家具標準タイプ６３の家具標準データ４０を読み込み、図９の家具標準タイプ画面６４を表示し、必要に応じて、設計変更等を行う（ステップ６０４）。
【００５５】
処理端末装置３は、部材データベース６の部材データ２０−１、２０−２、…や、家具標準データベース８の該当する家具標準データ４０の家具部材データ４６−１、４６−２、…等を読み込む（ステップ６０５）。
【００５６】
処理端末装置３は、読み込んだ部材データから図１０の部材選択画面６５を表示し、部材を選択する（ステップ６０６）。
例えば、図１０に示すように、処理端末装置３は、部材タイプ６６−１を選択する。
ただし、最近の分譲マンション等において、部材の柄に関しては、入居予定者の好みに応じるため、後ほど入居予定者自身が指定する場合もある。この場合は部材購入予定者の選択の幅を持たせ、部材のＶＯＣの発生量や価格等から、多少の絞り込みを行うだけの場合もある。
【００５７】
処理端末装置３は、間取り設計図面データと、選択した家具、部材等から、家具の３次元画像データを生成し、図１２の３次元の家具のイメージ画像画面６７を表示し、必要に応じて、設計変更する（ステップ６０７）。
【００５８】
次に、家具のＶＯＣ発生量積算処理、及び見積り、納期試算、図面作成等の処理は、前述した第１の実施の形態の家具の設計から行う場合の処理手順である図５のステップ５０１からステップ５１０と同様の処理を行う。
尚、最後に、図５に示すように、本実施の形態の据え付け家具の場合、間取りデータベース９の住空間のＶＯＣデータ５８に、算出した家具のＶＯＣデータを加算して記憶する（ステップ５１１）。
【００５９】
以上説明したように、本発明の本実施の形態によれば、処理端末装置３は、家具に使用する複数の部材毎に、部材材質、単価、サイズ、測定した部材からのＶＯＣ発生量等を保持する部材データベース６と、家具に使用する複数の接着剤毎に、測定した接着剤からのＶＯＣ発生量を保持する接着剤データベース７と、複数の標準タイプの家具データを保持する家具標準データベース８と、住宅設計の複数の間取り毎に、設計図面、ＶＯＣデータ等を保持する間取りデータベース９を有し、間取りデータベース９から、住宅設計の設計図面を読み込み、設計図面上の据え付け型の家具に対して、設計段階で、家具に使用する部材と、接着剤の使用量を算出し、部材データベース６、接着剤データベース７から、それぞれ、使用量に基づいて、ＶＯＣデータを算出し、それらを合わせて、家具のＶＯＣ発生量を推定し、間取りデータベース９の住空間のＶＯＣデータに、算出した家具のＶＯＣデータを加算し、記憶する。
【００６０】
これにより、設計段階で、組み上がった家具の室内空気質の状況を予測でき、設計段階で設計者によって家具の形状のみならず、ＶＯＣ放出量、コストを予測でき、家具を組み上げた上で測定しなくてもよい。
また、部材データベースから、設計した家具のＶＯＣ放出量と部材のコストのバランスで部材を選ぶことができ、予め、予算枠が決まっている物件では、設計が容易になる。
さらに、住宅施工後の住空間のＶＯＣ発生量の推定に対しても、据え付け型の家具のＶＯＣ発生量が反映でき、分譲マンショ等の家具設計に優れる。
【００６１】
以上、添付図面を参照しながら、本発明に係る家具設計システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００６２】
また、図４、５、６に示す処理を行うプログラムはＣＤ−ＲＯＭ等の記録媒体に保持させて流通させてもよいし、このプログラムを通信回線を介して送受することもできる。
【００６３】
【発明の効果】
以上、詳細に説明したように本発明によれば、家具の設計段階での揮発性有機化合物（ＶＯＣ）の発生量の推定を可能とする家具設計システムを提供することができる。
【図面の簡単な説明】
【図１】本実施の形態に係る家具設計システム１の概略構成を示す図
【図２】家具設計システム１の関連データベース群のデータ構造１９を示す図
【図３】ＶＯＣ発生量測定装置９０の概略構成を示す図
【図４】家具設計システム１の処理手順を示すフローチャート
【図５】家具設計システム１の処理手順を示すフローチャート
【図６】家具設計システム１の処理手順を示すフローチャート（据え付け型家具の場合）
【図７】家具種目選択メニュ画面６０示す図
【図８】家具選択メニュ画面６２を示す図
【図９】家具標準タイプ画面６４を示す図
【図１０】部材選択画面６５を示す図
【図１１】イメージ画像画面６７を示す図
【図１２】ＶＯＣデータ画面７０を示す図
【図１３】設計図面画面８０を示す図
【符号の説明】
１………家具設計システム
３………処理端末装置
６………部材ＶＯＣデータベース
７………接着剤ＶＯＣデータベース
８………家具標準ＶＯＣデータベース
９………間取りＶＯＣデータベース
【図１】
2004126638.tif 000003
【図２】
2004126638.tif 000004
【図３】
2004126638.tif 000005
【図４】
2004126638.tif 000006
【図５】
2004126638.tif 000007
【図６】
2004126638.tif 000008
【図７】
2004126638.tif 000009
【図８】
2004126638.tif 000010
【図９】
2004126638.tif 000011
【図１０】
2004126638.tif 000012
【図１１】
2004126638.tif 000013
【図１２】
2004126638.tif 000014
【図１３】
2004126638.tif 000015